(57)【要約】【課題】通信機器の交信リストに保存された交信情報と関連する通信機器において会社及び個人が広告することのできる通信方法及び通信システムを提供する。【解決手段】本発明に係る通信方法は、通信機器１１，１２，１３，１４の地理的位置を決定し、前記地理的位置に関連する交信リストを生成し、該交信リストは前記通信機器の内部メモリに保存された交信情報のデータベースから検索されることを特徴とする。【選択図】図２
2008288766.tif 000002
【特許請求の範囲】
【請求項１】
通信機器の地理的位置を決定し、前記地理的位置に関連する交信リストを生成し、該交信リストは前記通信機器の内部メモリに保存された交信情報のデータベースから検索されることを特徴とする通信方法。
【請求項２】
前記地理的位置に関連する交信者を決定し、複数の地理的位置の交信者のための交信情報を含む統合データベースから前記交信者の交信情報を取り込み、前記地理的位置に関連する交信者のための交信情報を前記通信機器の内部メモリにダウンロードすることをさらに含んでいる請求項１に記載の通信方法。
【請求項３】
前記統合データベースは第三者のデータベースである請求項２に記載の通信方法。
【請求項４】
前記統合データベースは、前記通信機器がそれらの位置に地理的に近接した位置内にある時に前記通信機器に自動的にダウンロードするためにそれらの交信情報を利用可能とすることを希望する交信者により構成されている請求項２に記載の通信方法。
【請求項５】
前記交信者の決定は、前記通信機器の地理的位置の郵便番号を決定し、該郵便番号に関連する交信情報を有する交信者を決定することを含んでいる請求項２に記載の通信方法。
【請求項６】
自動的なダウンロードは、前記通信機器のオペレータにより特定された関心のある特定のカテゴリに関連する交信者のための交信情報を送信することを含んでいる請求項２に記載の通信方法。
【請求項７】
前記通信機器は、クイックダイヤリング機能及びダイヤリングパッドを有する回路構成を含む電話コンポーネントを有している請求項１に記載の通信方法。
【請求項８】
前記交信情報は電話番号を含み、前記交信情報は、前記オペレータに前記通信機器のクイックダイヤリング機能を使用可能とし、前記通信機器のダイヤリングパッドに電話番号を手動で入力することを前記オペレータに要求することなく、所定の交信者の電話番号にダイヤルするような方法で前記通信機器のメモリに保存されている請求項７に記載の通信方法。
【請求項９】
前記交信者は前記地理的位置のサービスを提供する会社である請求項１に記載の通信方法。
【請求項１０】
前記通信機器により呼び出しされた電話を追跡し、頻繁に交信する交信者のリストを決定し、前記通信機器が新しい地理的位置に移動した時に同様に指名された交信者のための交信情報をダウンロードすることをさらに含んでいる請求項９に記載の通信方法。
【請求項１１】
複数の地理的位置の交信者のための交信情報を前記通信機器の内部メモリに保存することをさらに含んでいる請求項１に記載の通信方法。
【請求項１２】
位置ベースの交信情報を通信機器に供給するための通信システムであって、
それぞれが複数の地理的位置に関連する複数の交信者のための交信情報を含む複数のテーブルを備えたデータベースと、
多数の交信者のための交信情報を保存する大きさの内部メモリを有する通信機器の現在の地理的位置を決定するための手段と、
前記通信機器の現在の地理的位置に基づき通信機器の内部メモリへの交信者及び関連する交信情報のテーブルのダウンロードを容易にする通信ネットワークと、
を備えていることを特徴とする通信システム。
【請求項１３】
前記データベースにリンクされていると共に、交信者が接触情報を前記データベースに追加できるように構成されたポータルをさらに備えている請求項１２に記載の通信システム。
【請求項１４】
前記通信機器は、携帯電話、ＰＤＡ、コンピュータ、及び陸線電話のうちの一つである請求項１２に記載の通信システム。
【請求項１５】
前記交信者は会社であり、前記交信情報は、名称、住所、電話番号、オペレーション時間、方向、及びビジネスカテゴリのうちの一つを含んでいる請求項１２に記載の通信システム。
【請求項１６】
通信機器の地理的位置を決定し、該地理的位置に関連する１以上の交信者のための交信情報を取り込み、通信機器の内部メモリに保存された交信リストに前記交信情報を自動的にダウンロードすることを特徴とする通信方法。
【請求項１７】
通信機器の地理的位置を決定し、該地理的位置に関連する交信者の交信リストを生成し、該交信リストは前記通信機器の内部メモリに保存された交信情報のデータベースから検索され、前記交信リストの１以上の交信者と広告とを関連付け、交信者の交信情報が前記通信機器に表示された時に前記交信者の広告が前記通信機器に表示されるようになっていることを特徴とする通信方法。
【請求項１８】
前記地理的位置に関連する交信者を決定し、複数の地理的位置の交信者のための交信情報を含む統合データベースから前記交信者のための交信情報を取り込み、前記統合データベース又は別のデータベースのいずれかから前記交信者のための広告情報を取り込み、前記地理的位置に関連する交信者のための交信情報及び広告情報を前記通信機器の内部メモリにダウンロードすることをさらに備えている請求項１７に記載の通信方法。
【請求項１９】
前記統合データベースと別のデータベースの少なくとも一つは第三者のデータベースである請求項１８に記載の通信方法。
【請求項２０】
前記統合データベースは、前記通信機器がそれらの地理的位置の近接位置内にある時に前記通信機器に自動的にダウンロードするためそれらの交信情報を利用させることを希望する交信者により構成されており、前記別のデータベースはそれらの交信情報と共に前記通信機器にダウンロードされた広告を有することを希望する交信者により構成されている請求項１８に記載の通信方法。
【請求項２１】
前記交信情報と前記広告情報は前記統合データベース内に含まれている請求項１８に記載の通信方法。
【請求項２２】
前記交信者の決定は、前記通信機器の地理的位置のための郵便番号を決定し、該郵便番号に関連する交信情報を有する交信者を決定することを含んでいる請求項１８に記載の通信方法。
【請求項２３】
自動的なダウンロードは、前記通信機器のオペレータにより特定される関心のある特定のカテゴリと関連する交信者のための交信情報を送信することを含んでいる請求項１８に記載の通信方法。
【請求項２４】
前記交信者は前記地理的位置でサービスを提供する会社であり、前記広告情報は、テキスト、画像、音声、及び映像のうちの少なくとも一つを含んでいる請求項１７に記載の通信方法。
【請求項２５】
前記通信機器により呼び出しされた電話を追跡し、頻繁に交信する交信者のリストを決定し、前記通信機器が新しい地理的位置に移動した時に同様に指名された交信者のための交信情報をダウンロードすることをさらに含んでいる請求項９に記載の通信方法。
【請求項２６】
前記通信機器は、クイックダイヤリング機能及びダイヤリングパッドを有する回路構成を含む電話コンポーネントを有している請求項１７に記載の通信方法。
【請求項２７】
前記交信情報は電話番号を含み、前記交信情報は、前記オペレータに前記通信機器のクイックダイヤリング機能を使用可能とし、前記通信機器のダイヤリングパッドに電話番号を手動で入力することを前記オペレータに要求することなく、所定の交信者の電話番号にダイヤルするような方法で前記通信機器のメモリに保存されている請求項２６に記載の通信方法。
【請求項２８】
複数の地理的位置の交信者のための広告情報を前記通信機器の内部メモリに保存することをさらに含んでいる請求項１７に記載の通信方法。
【請求項２９】
位置ベースの交信情報を通信機器に供給するための通信システムであって、
それぞれが複数の地理的位置に関連する複数の交信者のための交信情報を含む第１の複数のテーブルを備えた第１のデータベースと、
それぞれが複数の交信者の１以上に関連する広告情報を含む第２の複数のテーブルを備えた第２のデータベースと、
多数の交信者のための交信情報及び広告情報を保存する大きさの内部メモリを有する通信機器の現在の地理的位置を決定するための手段と、
前記通信機器の現在の地理的位置に基づき通信機器の内部メモリへの、交信者及び交信者のための関連する交信情報及び広告情報のテーブルのダウンロードを容易にする通信ネットワークと、
を備えていることを特徴とする通信システム。
【請求項３０】
前記第１のデータベースは前記第２のデータベースのセルへのリンクを備えている請求項２９に記載の通信システム。
【請求項３１】
前記通信機器は、携帯電話、ＰＤＡ、コンピュータ、及び陸線電話のうちの一つである請求項２９に記載の通信システム。
【請求項３２】
前記交信者は会社であり、前記交信情報は、名称、住所、電話番号、オペレーション時間、方向、及びビジネスカテゴリのうちの一つを含んでいる請求項２９に記載の通信システム。
【請求項３３】
前記第１のデータベース及び前記第２のデータベースは単一のデータベースに統合されている請求項２９に記載の通信システム。
【請求項３４】
通信機器の地理的位置を決定し、該地理的位置に関連する１以上の交信者のための交信情報及び広告情報を取り込み、前記通信機器の内部メモリに前記交信情報及び広告情報を自動的にダウンロードすると共に保存することを特徴とする通信方法。
【発明の詳細な説明】
【技術分野】
【０００１】
本発明は、携帯電話のような通信機器に広告するための方法及びシステムに関し、特に、前記通信機器の交信リストに保存された会社及び個人の交信情報に関連して通信機器において広告するための方法及びシステムに関する。
【背景技術】
【０００２】
交信リストは、携帯電話及び陸線電話を含むほとんどの通信機器において共通した機能である。前記通信機器において会社及び個人の交信情報を、電話をかける側に保存させるのは便利な機能であり、電話をかける側はすべての交信情報を記憶する必要はない。一般に、発呼者は、携帯電話や陸線電話のような通信機器の交信リストに会社及び個人の電話番号及び他の交信情報を手動で入力しなければならない。発呼者は、前記通信機器の交信リストに交信情報が保存されている企業や個人に電話をかけたい場合、前記通信機器の交信リストから前記会社や個人の電話番号を選択し、その後、選択した電話番号に自動的にダイヤルする通信機器の自動ダイヤル機能を選択することを要求される。これは、会社及び個人の電話番号及び他の交信情報を、発呼者に記憶させることを要求しない利点を有しており、そうでなければ、難しく、非実用的であろう。通信機器の自動ダイヤル機能により、発呼者は、電話番号を手動でダイヤルすることなく、通信機器の交信リストから前記電話番号にダイヤルすることができる。特に、この機能によって、運転者は、運転中に安全に電話をすることができ、電話番号を手動でダイヤルするために運転から注意をそらすことなく通信機器の交信リストから電話を自動的にかけることができる。
【０００３】
しかしながら、現在の通信機器はそれらの交信リストの機能性や管理に関しては著しい制限がある、すなわち、これらの機器は、１）交信リストへの交信情報の手動入力を要求し、２）交信リストに保存された交信情報のそれらの会社及び個人だけへの交信情報の修正を許容する。発呼者は、通信機器の交信リストに列挙されていない会社又は個人に電話をかけなければばらない場合、「イエローブック」、電話案内サービス、インターネット等の外部リソースでその会社や個人の交信情報を探さなければならない。一端、前記交信情報が分かると、それは通信機器の交信情報に手動で入力され、保存されなければならない。これは、特に、発呼者が通信機器の交信リストに複数の会社や個人の交信情報を保存したい時に煩わしいと共に時間を消費する処理となる。また、そのような外部リソースは、例えば、運転中のように、いつでも容易に利用可能ではないので、「イエローブック」、インターネット等のような外部リソースから交信情報を探すことがいつでも可能とは限らない。現代の通信機器、特に、携帯電話はウェブを利用でき、発呼者がインターネットにアクセスすることができる。これはインターネットで利用可能なリソースにアクセスすることにより会社や個人の交信情報を発呼者に見つけさせることができる。そのようなリソースの例は、www.yellowpages.com であり、会社の交信情報を、発呼者に見つけさせることができる。しかしながら、このシステムも制限や欠点を有している。すなわち、１）名称、位置等のような所望な会社又は個人の情報のウェブブラウザへの手動入力を要求し、２）通信機器の交信リストへの検索により得られた交信情報を発呼者に自動的に保存させることができないし、３）検索結果で表示される電話番号を発呼者に自動的にダイヤルさせることができないし、４）各会社や個人に新たな検索を要求し、複数の会社や個人の交信情報を見つける必要がある人には冗長的で非実用的であり、５）交信情報の検索が実行される度にインターネットへのアクセスを要求し、６）無線インターネットへの申し込みを要求し、それは通常かなり高価である。
【０００４】
ほとんどの交信情報の検索は会社や個人の電話番号及び他の交信情報を見つけるために行われることが知られている。また、個人は、通常それらの住所や業務場所の５０マイル半径内の同一地区内の会社及び個人を大部分の取引先にすることも知られている。しかしながら、発呼者に対して、各地区の会社及び個人の交信情報の手動入力を要求することなく、同一地区の会社及び個人の交信情報を通信機器の交信リストにダウンロード及び保存させることのできる方法、システム又は装置が従来技術にないことは明らかである。現在、同一地区の会社及び個人の交信情報を通信機器の交信リストに保存することは煩わしく、時間のかかる処理であり、発呼者が同一地区の多数の会社及び個人の交信情報を保存したい場合には適していない。
【０００５】
現在、携帯電話のような通信機器は会社及び個人の製品及びサービスの広告を目的としては最大限に可能な限り使用されてはいない。最新の通信機器でインターネットにアクセスする機能により、広告は通信機器の領域で次第にペースを上げている。現在、通信機器により行われるほとんどの広告はウェブベースの環境において行われている。そのような方法の例としては、発呼者の質問に応じて生成される検索結果により広告が表示される www.google.com の「無線グーグル」がある。この方法では、発呼者が無線インターネットサービスに申し込み、通信機器によりインターネットブラウザを開始し、 www.google.com にアクセスし、その後、 www.google.com で検索を実行する。前記検索の結果に従って広告が表示される。明らかなように、この方法は無線インターネットへのアクセスを要求し、通常は高価であり、いつでもすべての地域で利用可能とは限らない。さらに重要なのは、発呼者が前記ウェブサイトにアクセスする時にだけ広告が表示され、それは放送時間のうちのほんの少しの時間だけである。発呼者は他の発呼者に電話をかける通信機器において放送時間の大部分を使用する。従来技術では、携帯電話のような通信機器からかけられた電話に関連して会社及び個人に広告を可能とする発明は明らかではない。したがって、携帯電話のような通信機器からかけられた電話に関連して、会社および個人に通信機器において広告を可能とする通信方法及び通信システムの必要性がある。
【非特許文献１】ＵＲＬ：www.yellowpages.com
【非特許文献１】ＵＲＬ：www.google.com
【発明の開示】
【発明が解決しようとする課題】
【０００６】
本発明は上記した課題を克服する通信方法及び通信システムを提供する。一実施の形態では、本発明は、１）電話番号及び交信情報の手動入力を要求することなく、発呼者に対して、同一地区内の会社の電話番号及び交信情報を携帯電話のような通信機器にダウンロード及び保存させることができ、２）発呼者に対して、その自動ダイヤル機能を使用して通信機器の交信リストから番号をダイヤルさせることができ、３）発呼者に対して、外部の交信情報データベースに再アクセスさせる必要なく、通信機器の交信リストに保存された同一地区の会社の総合的な交信情報データベースから同一地区の会社の交信情報を検索させることができる。本発明の別の目的は、会社及び個人が、携帯電話のような通信機器から広告することができる通信方法及び通信システムを提供することである。より詳細には、本発明は前記通信機器の交信リストに保存された交信情報と関連する通信機器において会社及び個人が広告することのできる通信方法及び通信システムを提供する。
【課題を解決するための手段】
【０００７】
本発明の通信方法は、通信機器の地理的位置を決定し、前記地理的位置に関連する交信リストを生成し、該交信リストは前記通信機器の内部メモリに保存された交信情報のデータベースから検索されることを特徴とする。
【０００８】
また、前記地理的位置に関連する交信者を決定し、複数の地理的位置の交信者のための交信情報を含む統合データベースから前記交信者の交信情報を取り込み、前記地理的位置に関連する交信者のための交信情報を前記通信機器の内部メモリにダウンロードすることをさらに含んでいてもよい。
【０００９】
さらに、前記統合データベースは第三者のデータベースであってもよい。
【００１０】
さらにまた、前記統合データベースは、前記通信機器がそれらの位置に地理的に近接した位置内にある時に前記通信機器に自動的にダウンロードするためにそれらの交信情報を利用可能とすることを希望する交信者により構成されていてもよい。
【００１１】
さらに、前記交信者の決定は、前記通信機器の地理的位置の郵便番号を決定し、該郵便番号に関連する交信情報を有する交信者を決定することを含んでいてもよい。
【００１２】
さらに、自動的なダウンロードは、前記通信機器のオペレータにより特定された関心のある特定のカテゴリに関連する交信者のための交信情報を送信することを含んでいてもよい。
【００１３】
さらに、前記通信機器は、クイックダイヤリング機能及びダイヤリングパッドを有する回路構成を含む電話コンポーネントを有していてもよい。
【００１４】
さらに、前記交信情報は電話番号を含み、前記交信情報は、前記オペレータに前記通信機器のクイックダイヤリング機能を使用可能とし、前記通信機器のダイヤリングパッドに電話番号を手動で入力することを前記オペレータに要求することなく、所定の交信者の電話番号にダイヤルするような方法で前記通信機器のメモリに保存されていてもよい。
【００１５】
さらに、前記交信者は前記地理的位置のサービスを提供する会社であってもよい。
【００１６】
また、前記通信機器により呼び出しされた電話を追跡し、頻繁に交信する交信者のリストを決定し、前記通信機器が新しい地理的位置に移動した時に同様に指名された交信者のための交信情報をダウンロードすることをさらに含んでいてもよい。
【００１７】
また、複数の地理的位置の交信者のための交信情報を前記通信機器の内部メモリに保存することをさらに含んでいてもよい。
【００１８】
また、本発明は、位置ベースの交信情報を通信機器に供給するための通信システムであって、それぞれが複数の地理的位置に関連する複数の交信者のための交信情報を含む複数のテーブルを備えたデータベースと、多数の交信者のための交信情報を保存する大きさの内部メモリを有する通信機器の現在の地理的位置を決定するための手段と、前記通信機器の現在の地理的位置に基づき通信機器の内部メモリへの交信者及び関連する交信情報のテーブルのダウンロードを容易にする通信ネットワークとを備えていることを特徴とする。
【００１９】
また、前記データベースにリンクされていると共に、交信者が接触情報を前記データベースに追加できるように構成されたポータルをさらに備えていてもよい。
【００２０】
さらに、前記通信機器は、携帯電話、ＰＤＡ、コンピュータ、及び陸線電話のうちの一つであってもよい。
【００２１】
また、前記交信者は会社であり、前記交信情報は、名称、住所、電話番号、オペレーション時間、方向、及びビジネスカテゴリのうちの一つを含んでいてもよい。
【００２２】
さらに、本発明の通信方法は、通信機器の地理的位置を決定し、該地理的位置に関連する１以上の交信者のための交信情報を取り込み、通信機器の内部メモリに保存された交信リストに前記交信情報を自動的にダウンロードすることを特徴とする。
【００２３】
また、本発明の通信方法は、通信機器の地理的位置を決定し、該地理的位置に関連する交信者の交信リストを生成し、該交信リストは前記通信機器の内部メモリに保存された交信情報のデータベースから検索され、前記交信リストの１以上の交信者と広告とを関連付け、交信者の交信情報が前記通信機器に表示された時に前記交信者の広告が前記通信機器に表示されるようになっていることを特徴とする。
【００２４】
また、前記地理的位置に関連する交信者を決定し、複数の地理的位置の交信者のための交信情報を含む統合データベースから前記交信者のための交信情報を取り込み、前記統合データベース又は別のデータベースのいずれかから前記交信者のための広告情報を取り込み、前記地理的位置に関連する交信者のための交信情報及び広告情報を前記通信機器の内部メモリにダウンロードすることをさらに備えていてもよい。
【００２５】
さらに、前記統合データベースと別のデータベースの少なくとも一つは第三者のデータベースであってもよい。
【００２６】
また、前記統合データベースは、前記通信機器がそれらの地理的位置の近接位置内にある時に前記通信機器に自動的にダウンロードするためそれらの交信情報を利用させることを希望する交信者により構成されており、前記別のデータベースはそれらの交信情報と共に前記通信機器にダウンロードされた広告を有することを希望する交信者により構成されていてもよい。
【００２７】
さらに、前記交信情報と前記広告情報は前記統合データベース内に含まれていてもよい。
【００２８】
また、前記交信者の決定は、前記通信機器の地理的位置のための郵便番号を決定し、該郵便番号に関連する交信情報を有する交信者を決定することを含んでいてもよい。
【００２９】
また、自動的なダウンロードは、前記通信機器のオペレータにより特定される関心のある特定のカテゴリと関連する交信者のための交信情報を送信することを含んでいてもよい。
【００３０】
また、前記交信者は前記地理的位置でサービスを提供する会社であり、前記広告情報は、テキスト、画像、音声、及び映像のうちの少なくとも一つを含んでいてもよい。
【００３１】
さらに、前記通信機器により呼び出しされた電話を追跡し、頻繁に交信する交信者のリストを決定し、前記通信機器が新しい地理的位置に移動した時に同様に指名された交信者のための交信情報をダウンロードすることをさらに含んでいてもよい。
【００３２】
さらに、前記通信機器は、クイックダイヤリング機能及びダイヤリングパッドを有する回路構成を含む電話コンポーネントを有していてもよい。
【００３３】
さらにまた、前記交信情報は電話番号を含み、前記交信情報は、前記オペレータに前記通信機器のクイックダイヤリング機能を使用可能とし、前記通信機器のダイヤリングパッドに電話番号を手動で入力することを前記オペレータに要求することなく、所定の交信者の電話番号にダイヤルするような方法で前記通信機器のメモリに保存されていてもよい。
【００３４】
また、複数の地理的位置の交信者のための広告情報を前記通信機器の内部メモリに保存することをさらに含んでいてもよい。
【００３５】
また、本発明は、位置ベースの交信情報を通信機器に供給するための通信システムであって、それぞれが複数の地理的位置に関連する複数の交信者のための交信情報を含む第１の複数のテーブルを備えた第１のデータベースと、それぞれが複数の交信者の１以上に関連する広告情報を含む第２の複数のテーブルを備えた第２のデータベースと、多数の交信者のための交信情報及び広告情報を保存する大きさの内部メモリを有する通信機器の現在の地理的位置を決定するための手段と、前記通信機器の現在の地理的位置に基づき通信機器の内部メモリへの、交信者及び交信者のための関連する交信情報及び広告情報のテーブルのダウンロードを容易にする通信ネットワークとを備えていることを特徴とする。
【００３６】
さらに、前記第１のデータベースは前記第２のデータベースのセルへのリンクを備えていてもよい。
【００３７】
さらに、前記通信機器は、携帯電話、ＰＤＡ、コンピュータ、及び陸線電話のうちの一つであってもよい。
【００３８】
さらに、前記交信者は会社であり、前記交信情報は、名称、住所、電話番号、オペレーション時間、方向、及びビジネスカテゴリのうちの一つを含んでいてもよい。
【００３９】
さらに、前記第１のデータベース及び前記第２のデータベースは単一のデータベースに統合されていてもよい。
【００４０】
さらに、本発明の通信方法は、通信機器の地理的位置を決定し、該地理的位置に関連する１以上の交信者のための交信情報及び広告情報を取り込み、前記通信機器の内部メモリに前記交信情報及び広告情報を自動的にダウンロードすると共に保存することを特徴とする。
【００４１】
一つの特徴によれば、交信情報への手動入力を必要とすることなく、遠隔サーバに保存された中央の交信情報データベースから通信機器の交信リストに同一地区内の会社の交信情報を発呼者にダウンロードさせる手段が提供される。中央の交信情報データベースは１以上の地理的領域の同一地区内の会社の交信情報を含んでいる。
【００４２】
別の特徴によれば、発呼者は交信リストから選択された電話番号を氏動的にダイヤルする通信機器の自動ダイヤル機能を利用する手段を提供される。
【００４３】
さらに別の特徴によれば、発呼者は前記通信機器が新しい位置にある時に個人の通信機器の交信情報に新しい位置の同一地区内の会社の交信情報を自動的にダウンロードする手段を提供される。
【００４４】
本発明は、個人の通信機器に前記交信情報のそれぞれを個別に手動入力する必要なく、個人の通信機器において同一地区内の顧客に容易に利用可能な同一地区内の会社の交信情報を電話番号を含めて作ることにより同一地区の居住者と同一地区の会社との間での通商を改善するだろう。それは、発呼者に対して、煩わしく、特に交信情報のデータが大量の場合には実行できないこともあるそのような交信情報の手動入力をさせる必要なく、個人の通信機器に多数の同一地区内の会社の交信情報を自動的に保存させることができる。
【００４５】
また、本発明は、携帯電話のような通信機器において広告するための通信方法及び通信システムに関する。会社及び個人の交信情報を含む中央の交信情報データベースが生成される。この中央の交信情報データベースは中央サーバに保存される。データ、音声、映像、又は画像又はそれらの組み合わせの形式の１以上の広告が中央の交信情報データベースに含まれる１以上の交信情報に組み合わされる。広告は、対応する交信情報への添付によって或いは対応する交信報へのリンクによって交信情報と組み合わされる。
【００４６】
一つの特徴によれば、発呼者が中央の交信情報データベースから通信機器の交信リストに交信情報及び対応する広告をダウンロードする手段が提供される。対応する交信情報が表示される時、或いは対応する交信情報が通信機器の交信リストから検索される時に広告は通信機器に表示される。
【００４７】
本発明は、会社及び個人が携帯電話のような通信機器の交信リストに保存された交信情報に関連して広告を行う手段を提供する。
【発明の効果】
【００４８】
本発明によれば、電話番号及び交信情報の手動入力を要求することなく、発呼者に対して、同一地区内の会社の電話番号及び交信情報を携帯電話のような通信機器にダウンロード及び保存させることができ、発呼者に対して、その自動ダイヤル機能を使用して通信機器の交信リストから番号をダイヤルさせることができ、発呼者に対して、外部の交信情報データベースに再アクセスさせる必要なく、通信機器の交信リストに保存された同一地区の会社の総合的な交信情報データベースから同一地区の会社の交信情報を検索させることができる。また、本発明によれば、会社及び個人が、携帯電話のような通信機器から広告することができる。
【発明を実施するための最良の形態】
【００４９】
本発明の１つの特徴によれば、会社及び個人の交信情報を含む中央の交信情報データベースが生成される。中央の交信情報データベースの構造は図１に示されている。中央の交信情報データベースに含まれる交信情報は、会社及び個人の氏名又は名称、電話番号、ファックス番号、通り、市、州、郵便番号、電子メールアドレス、ウェブＵＲＬ，及び業務時間、運転方向、又は他の適切な情報を備えている。中央の交信情報データベースは、My SQL、MSQL、MS Acess等のような１つ又は多数の利用可能なデータベースプログラムを使用して生成可能である。
【００５０】
中央の交信情報データベースは、図２に示されているように、例えば、中央サーバ１０のような遠隔装置に保存される。１つの方法によれば、交信情報がウェブベースの環境において中央の交信情報データベースに入力される。ウェブポータルは会社及び個人が中央の交信情報データベースに交信情報を入力するために設けられている。別の方法では、会社及び個人の交信情報は現存する交信情報のデータベースから中央の交信情報データベースに取り込まれる。そのような供給源の一例は「イエローページ」であり、それは、www.yellowpages.com で印刷及びオンライン形式の両方で公表されている。都市、郵便番号、位置、州、業種又はカテゴリ、会社の名称又は個人の氏名、業務時間等のような複数の変数により、中央の交信情報データベースにはそこに含まれる交信情報を分類する手段が設けられている。
【００５１】
本発明の別の特徴によれば、発呼者が中央の交信情報データベースから、図２に示される携帯電話１１、陸線電話１２、パソコン１４、ＰＤＡ１３等の通信機器の交信リストに会社及び個人の交信情報をダウンロード及び保存させる手段が設けられている。通信機器の交信リストのデータベース構造は、図３に示されているように、中央の交信情報データベースのそれと類似している。通信機器の交信リストに含まれるデータ領域は中央の交信情報データベースに含まれるデータ領域に類似している。
【００５２】
中央の交信情報データベースの１つの領域からのデータは通信機器の交信リストの対応するデータ領域に送信され保存される。その後、交信情報は中央の交信情報データベースに再アクセスする必要なく、通信機器の交信リスト内から検索及びアクセスされることができる。中央の交信情報データベースから通信機器の交信リストへ会社のグループ又は個人のグループの交信情報を発呼者にダウンロードさせる手段が設けられている。例えば、１）郵便番号の一定のマイル半径内の同一地区の会社、２）特定の会社のカテゴリの同一地区内の会社、及び又は３）選択された同一地区内の会社、の交信情報のデータがダウンロード可能である。この機能は、各交信情報を個々に手動入力する必要なく、通信機器の交信リストに会社又は個人のグループの交信情報を発呼者に保存させることができる。一端、通信機器の交信リストにダウンロード及び保存されると、交信情報のデータは、会社の名称、会社のカテゴリ又は他の下位カテゴリを通信機器内から検索可能である。したがって、発呼者が会社又は個人に発呼しなければならない時、通信機器の交信リストの会社又は個人の交信情報を検索し、その後、どこかほかの前記交信情報を検索する必要なく、そこに含まれる会社又は個人の交信情報を検索する。好ましくは、自動ダイヤル機能が通信機器に設けられている。
【００５３】
別の特徴では、発呼者が異なる位置に移動した場合、発呼者の新しい位置の同一地区の会社及び個人の交信情報をダウンロードする手段が設けられている。発呼者は新しい位置をそのシステムに入力することを要求され、その後、通信機器の交信リストに同一地区の会社及び個人の交信情報をダウンロードする。例えば、発呼者がシカゴ、ＩＬからニューヨーク、ＮＹに移動した場合、ニューヨーク、ＮＹの同一地区の会社の交信情報（例えば、ニューヨーク、ＮＹのすべてのコーヒーショップ、又は郵便番号０７０２４のすべての同一地区内の会社等）を発呼者の通信機器にダウンロードする。
【００５４】
さらに別の方法では、発呼者の位置における同一地区内の会社及び個人の交信情報は前記通信機器の位置の自動決定に基づき発呼者の通信機器に自動的にダウンロードされる。通信機器の位置は、全地球測位システム（ＧＰＳ）、起点のセル方式の塔の位置、陸線電話の位置、インターネットプロトコル（ＩＰ）アドレス等の多数の利用可能な方法の一つを使用してシステムにより自動的に決定される。これは、発呼者がそのシステムに位置を入力する必要なく、同一地区内の会社及び個人の交信情報を通信機器に自動的にダウンロードする手段を備えている。この機能は、頻繁に移動する発呼者に特に有用である。例えば、シカゴ、イリノイからニューヨーク、ニューヨークに運転する発呼者がクリーブランド、オハイオを運転中に最も近いウォルマートストアに行きたい場合、発呼者がクリーブランド、オハイオを入力すると、携帯電話のような発呼者の通信機器にクリーブランド、オハイオの同一地区内の会社の交信情報が自動的にダウンロードされる。発呼者が携帯電話のような通信機器の交信リストで「ウォルマート」を検索すると、クリーブランド、オハイオでは、クリーブランドのウォルマートの交信情報が表示される。好ましくは、通信機器は以前の位置の会社の交信情報をダウンロードするため通信機器に与えられる基準に従って新しい位置の交信情報をダウンロードするように構成されているのがよい。代わりに、発呼者は新しい位置の交信情報をダウンロードするため新しい基準を入力するために選択してもよい。
【００５５】
本発明の好適な方法では、同一地区内の会社の交信情報データベースが通信機器にダウンロードされ、保存される。しかしながら、本発明の別の方法によれば、同一地区内の会社の交信情報データベースは遠隔の中央サーバに保存され、各種通信機器により遠方からアクセスされる。この方法によれば、発呼者は通信機器から所定の番号をダイヤルし、交信情報を取得したい位置、会社の名称又はカテゴリをダイヤルする。代わりに、発呼者の位置は、全地球測位システム（ＧＰＳ）、起点のセル方式の塔の位置、陸線電話の位置、インターネットプロトコル（ＩＰ）アドレス等の多数の利用可能なシステムの一つを使用して通信機器の位置を決定することにより自動的に決定される。一端、中央の交信情報データベースを有する中央サーバが前記情報を受信すると、選択された会社の交信情報が発呼者の通信機器に送信され、前記交信情報が表示される。好適な方法では、前記通信機器は自動ダイヤル機能を使用して前記表示された交信情報から電話番号を自動的にダイヤルするために使用可能である。さらに、前記通信機器のため表示された電話番号及び交信情報をその交信リストに保存する手段が設けられている。
【００５６】
本発明のさらに別の発明によれば、中央の交信情報データベース全体は中央サーバから通信機器にダウンロード可能であり、その後、通信機器の位置の領域内の同一地区の会社の交信情報は通信機器の交信リスト内から検索されることができる。この方法では、通信機器の位置は、１）位置を前記機器に手動入力することと、２）全地球測位システム（ＧＰＳ）、起点のセル方式の塔の位置、陸線電話の位置、インターネットプロトコル（ＩＰ）アドレス等の多数の利用可能なシステムの一つを使用して前記通信機器の位置の自動的な決定のいずれかにより再び決定される。
【００５７】
本発明の別の特徴によれば、音声、映像、画像、データ又はそれらの組み合わせの形式で、図１に示されたような中央の交信情報データベースに広告が保存される。中央サーバ１０には、図４に示されているように、対応する交信情報（ＣＮ）と広告（ＡＤ）とを組み合わせる（ＰＲ）手段が設けられている。図１に示されているように、中央の交信情報データベースの対応する交信情報と共に広告が保存されている。複数の広告を所定の交信情報に組み合わせる手段が設けられている。さらに、広告を複数の交信情報に組み合わせる手段が設けられている。
【００５８】
１つの方法によれば、会社及び個人に対して、広告と組み合わせられる会社及び個人の適切な交信情報を見つけさせることのできるウェブポータルが設けられている。このウェブポータルは中央の交信情報データベースに列挙された会社及び個人の交信情報を列挙する。このウェブポータルには、そこに列挙された交信情報の「関連プロフィール」、「ダウンロード統計」及び「使用統計」を生成すると共に表示する手段が設けられている。交信情報の「関連プロフィール」は対応する会社又は個人についての詳細情報を提供する。交信情報の「ダウンロード統計」は、前記交信情報がダウンロードされた通信機器の数の尺度である。「使用統計」は、人気の尺度であり、前記交信情報が通信機器の交信リストから発呼者により検索された回数を示している。好ましくは、「ダウンロード統計」と「使用統計」は位置、年齢、性別等のような発呼者の人口統計情報をも提供するのがよい。これらの尺度は、広告主に対して、広告を組み合わせる適切な会社及び個人を見つける手段を提供する。広告主は交信情報と広告とを組み合わせてもよいし、又は相当な注意の後に選択された会社及び個人の交信情報を広告と組み合わせてもよい。好ましくは、広告は動的な環境で交信情報と組み合わされ、会社及び個人が異なる時に異なる交信情報を広告と組み合わせる手段が設けられている。
【００５９】
交信情報（ＣＮ）が中央サーバ１０の中央の交信情報データベースから通信機器１１に送信された時、前記交信情報（ＣＮ）と組み合わされた広告（ＡＤ）も図５に示されているように送信される。好適な方法では、図３に示されているように、対応する交信情報と共に交信リストの広告を保存する手段が通信機器に設けられている。中央の交信情報データベースと通信機器の交信リストとの間にインターフェースが生成され、これらの２つのデータベースをお互いに通信させる。図３に示されているような原理を使用して規則的な間隔で中央の交信情報データベースを有する通信機器の交信リストに含まれる情報を同時に発生させる手段が設けられている。これは、通信機器の交信リストに含まれる情報が最新のまま残っていることを保証する。これは、中央の交信情報データベースの交信情報と広告との組み合わせ処理を動的に、柔軟に、大規模に実現可能にする。中央の交信情報データベースに含まれる広告はいつでも変更又は修正可能である。一端、前記通信機器が中央の交信情報データベースと同期すると、前記変更又は修正は通信機器に正確に映し出される。好ましくは、対応する交信情報が通信機器に表示されると、又は対応する交信情報が発呼者により前記通信機器の交信リストから検索されると、広告を表示する手段が通信機器に設けられる。
【００６０】
広告及び交信情報は２つの方法で中央の交信情報データベースにおいて組み合わされる。図６Ａに示された１つの方法によれば、広告（ＡＤ）は中央の交信情報データベースの対応する交信情報（ＣＮ）に添付される（ＡＴ）。交信情報（ＣＮ）が中央サーバ１０から通信機器１１に送信されると、それに添付された対応する広告（ＡＤ）は図６Ｂに示されているように同様に送信される。この方法では、広告は通信機器の交信リストに対応する交信情報と一緒に保存される。したがって、多数の交信情報及び対応する広告を保存するためには通信機器に大容量のメモリが要求される。別の方法によれば、広告（ＡＤ）は中央の交信情報データベースに交信情報とは別個に中央サーバ１０に保存される。代わりに、広告はまったく別のサーバに保存されてもよい。
【００６１】
中央の交信情報データベースの交信情報（ＣＮ）は、図７Ａに示されているように、リンク（ＬＮＫ）によって対応する広告（ＡＤ）と組み合わされる。図７Ｂはリンク（ＬＮＫ）の詳細を示している、リンク（ＬＮＫ）は対応する交信情報に取り付けられ、１）それがリンクされる広告のＩＤと、２）前記リンクに対応する広告が保存されるサーバのＩＤと、３）前記リンクが取り付けられる交信情報のＩＤと、４）対応する交信情報の送信により前記リンクが保存される通信機器のＩＤとを備えている。
【００６２】
図７Ｃに示されているように、交信情報（ＣＮ）が中央サーバの中央の交信情報データベースから通信機器１１に送信されると、前記交信情報に取り付けられたリンク（ＬＮＫ）は同様に送信される。通信機器には交信情報（ＣＮ）とそれに添付されるリンク（ＬＮＫ）の両方を保存する手段が設けられている。一端、リンク（ＬＮＫ）が通信機器１１にあると、前記通信機器のＩＤをリンク（ＬＮＫ）に組み込む手段が設けられている。対応する交信情報が前記通信機器に表示される時、又は発呼者が前記通信機器の交信リストから対応する交信情報を検索する時、通信機器のリンク（ＬＮＫ）は作動される（ＬＮＫ−Ａ）。作動したリンク（ＬＮＫ−Ａ）は中央サーバ１０に返送され、対応する広告（ＡＤ）が保存される。リンク（ＬＮＫ）に含まれるサーバＩＤは中央サーバ１０に作動リンク（ＬＮＫ−Ａ）を導く。中央サーバ１０で一度、作動リンク（ＬＮＫ−Ａ）に含まれる広告ＩＤが中央サーバ１０から作動リンク（ＬＮＫ−Ａ）に対応する広告（ＡＤ）を検索するために使用され、作動リンク（ＬＮＫ−Ａ）が生じる。作動リンク（ＬＮＫ−Ａ）に含まれる通信機器ＩＤが広告（ＡＤ）及び作動リンク（ＬＮＫ−Ａ）を通信機器１１に振り向けるために使用され、作動リンク（ＬＮＫ−Ａ）が生じる。通信機器１１で一度、作動リンク（ＬＮＫ−Ａ）に含まれる交信情報ＩＤは作動リンク（ＬＮＫ−Ａ）及びそれに添付された広告（ＡＤ）を前記通信機器１１に保存された対応する交信情報（ＣＮ）に導く。通信機器１１には、中央サーバ１０から作動リンク（ＬＮＫ−Ａ）と共に来た広告（ＡＤ）を表示する手段が設けられている。この方法は通信機器の広告を保存することなく作動するが、通信機器には中央サーバから作動リンクにより引き込まれた広告を保存する手段が設けられているのが好ましい。
【００６３】
この方法によれば、発呼者により広告リストから検索された交信情報に対応する広告だけが通信機器に保存される必要があり（通信機器の交信リストに保存されたすべての交信情報に対応するすべての広告ではない）、これにより通信機器に大容量のメモリの必要性がなくなる。この方法はまた、通信機器と中央の交信情報データベースとの間で交信情報と広告のより迅速な同期をも可能にする。この方法では、保存された交信情報に対応するリンクだけ（広告ではない）の同期が要求されるため、より早くなる。上記した両方の方法では、好ましくは、対応する交信情報が通信機器に表示された時、及び対応する交信情報が発呼者によって通信機器の交信リストから検索された時、広告を表示する手段が通信機器に設けられている。
【００６４】
本発明の別の特徴によれば、図８及び図９に示されているように、組み合わされた交信情報と広告を１つの通信機器から別の通信機器に送信する手段が設けられている。この方法では、各種通信機器の交信リストのデータベース構造が一様であり、第１の通信機器の交信リストのデータ領域は、図９に示されているように、第２の通信機器の交信リストのデータ領域に類似している。通信機器は有線ネットワーク又は無線ネットワークを介してお互いに通信する。第１の通信機器の交信リストに含まれる情報を第２の通信機器の交信リストに発呼者が送信する手段が設けられている。
【００６５】
図１０に示されている別の方法によれば、中央サーバ１−に含まれる情報は、ＣＤ−ＲＯＭ、フロッピー(登録商標)ディスク、ＵＳＢドライブ等のような外部記憶装置にダウンロードされる。外部記憶装置１００は交信情報及び対応する広告（又はリンク）を保存するように構成される。外部記憶装置１００にアクセスし、それに含まれる情報を引き出す手段が通信機器１１〜１４に設けられている。通信機器１１〜１４には、図９に示された原理を使用して外部記憶装置１００からその交信リストに引き出された交信情報及び広告（又はリンク）を保存する手段が設けられている。
【００６６】
本発明は、各種方法で実施及び実行される他の実施の形態も可能である。当業者であれば、上記した開示に基づき、本発明の１つ又は幾つかの目的を実行するため、他の構造、方法及びシステムの設計をするための根拠として利用することが容易であることは明らかである。上記した本発明の実施の形態では、同一地区の会社の交信情報が多くの例により示されているが、これは、地理的領域の会社の交信情報を限定することを意図するものではなく、他の存在物及び個人が同様に使用可能である。また、通信機器として携帯電話を例示して説明したが、本発明の原理は、陸線電話、ファックス機、携帯用小型無線呼出し機、パソコン、携帯情報端末（ＰＤＡ）、ブラックベリーデバイス等のような他の通信機器にも適用可能である。さらに、このリストは決して消耗的ではない。
【図面の簡単な説明】
【００６７】
【図１】保存される交信情報と組み合わされる広告を保存する手段を有する中央の交信情報データベースの構造を示す図である。
【図２】中央の交信情報データベースを含む中央サーバと、中央サーバと通信機器の間における交信情報及び広告の送信処理の概要を示す図である。
【図３】中央の交信情報データベースと通信機器の交信リストデータベースとのデータ領域の類似性を示すと共に、中央の交信情報と通信機器の交信リストの対応するデータ領域に含まれるデータの送信方法を示す図である。
【図４】中央の交信情報データベースの対応する交信情報と広告とを組み合わせる方法を示す図である。
【図５】組み合わされた交信情報と広告を中央サーバから通信機器に送信する方法を示す図である。
【図６Ａ】中央の交信情報データベースの交信情報を広告と組み合わせ、広告及び対応する交信情報を一緒に結びつける方法を示す図である。
【図６Ｂ】結び付けられた交信情報と広告を中央サーバから通信機器に送信する方法を示す図である。
【図７Ａ】リンクによって中央の交信情報データベースの交信情報を広告と組み合わせた図である。
【図７Ｂ】中央の交信情報データベースの交信情報を広告と組み合わせたリンクの構成を示す図である。
【図７Ｃ】前記組み合わせがリンクにより行われる時に組み合わされた交信情報と広告を中央サーバから通信機器に送信する方法を示す図である。
【図８】組み合わされた交信情報のデータと広告を第１の通信機器から第２の通信機器へ送信する方法を示す図である。
【図９】第１及び第２の通信機器の交信リストのデータベース構造の類似性を示すと共に、第１の通信機器の交信リストの１つのデータ領域に含まれるデータの第２の通信機器の交信リストの対応するデータ領域への送信方法を示す図である。
【図１０】第１の通信機器から第２の通信機器に交信情報のデータ及び広告を送信し、交信情報のデータ及び対応する広告が中央の交信情報データベースからＵＳＢドライブのような着脱可能な外部記憶装置に最初にダウンロードされ、その後、交信情報のデータ及び対応する広告が着脱可能な外部記憶装置から１以上の通信機器に送信される方法を示す図である。
【符号の説明】
【００６８】
１０          中央サーバ
１１          携帯電話
１２          陸線電話
１３          ＰＤＡ
１４          パソコン
１００        外部記憶装置
【図１】
2008288766.tif 000003
【図２】
2008288766.tif 000004
【図３】
2008288766.tif 000005
【図４】
2008288766.tif 000006
【図５】
2008288766.tif 000007
【図６Ａ】
2008288766.tif 000008
【図６Ｂ】
2008288766.tif 000009
【図７Ａ】
2008288766.tif 000010
【図７Ｂ】
2008288766.tif 000011
【図７Ｃ】
2008288766.tif 000012
【図８】
2008288766.tif 000013
【図９】
2008288766.tif 000014
【図１０】
2008288766.tif 000015